(57)【要約】【課題】院内感染の伝播を防止するため、本明細書に記載の実施形態は、（医師、看護師などによる）臨床環境内でのモバイルデバイスの使用をモニタすることで、モバイルデバイス、ユーザの手指、及びデバイスに接触する面の病原体汚染の可能性を明らかにする。【解決手段】本発明者らの方法は、デバイスの扱い方や使用中の保持の仕方の物理的特性と、使用前、使用中、及び使用後の場所並びに環境とを考慮して汚染の可能性と病原体の移動とを推定する。システムで評価を情報（例えば、ユーザの今後のスケジュール）と共に用いて、ユーザに潜在的な汚染の危険を警告し、いつモバイルデバイスの使用を回避し、いつデバイスとユーザの手指とを消毒すべきかを提案することができる。【選択図】図１
2020140714.tif 000002
【特許請求の範囲】
【請求項１】
中央処理装置、メモリ及び警報デバイスを含むクライアントデバイスを組み込んだシステム内で実行されるコンピュータ実施方法であって、
ａ．前記クライアントデバイスの場所を決定すること、
ｂ．決定した前記クライアントデバイスの前記場所を高濃度病原体エリアに分類すること、
ｃ．前記クライアントデバイスとのユーザインタラクションを検出すること、及び
ｄ．前記クライアントデバイスとの前記ユーザインタラクションを検出すると、前記警報デバイスを用いてユーザに警告を提供すること、
を含む、コンピュータ実施方法。
【請求項２】
検出した前記クライアントデバイスとの前記ユーザインタラクションは、
ユーザが前記クライアントデバイスを取り出すことである、
請求項１に記載のコンピュータ実施方法。
【請求項３】
前記警告が、
ユーザに対して高濃度病原体エリア内での前記クライアントデバイスの操作を中止するように要請する、
請求項１に記載のコンピュータ実施方法。
【請求項４】
前記クライアントデバイスを使用しているユーザを検出すること、
及び、ユーザが前記クライアントデバイスを使用したことを検出すると、前記警報デバイスを用いてユーザに第２の警告を提供すること、
をさらに含む、請求項１に記載のコンピュータ実施方法。
【請求項５】
前記第２の警告が、
ユーザに前記クライアントデバイスを除染し手指を消毒するように要請する、
請求項４に記載のコンピュータ実施方法。
【請求項６】
ユーザが前記高濃度病原体エリアをいつ離れたかを検出すること、
及び、ユーザが前記高濃度病原体エリアを離れたことを検出すると、前記警報デバイスを用いてユーザに第３の警告を提供すること、
をさらに含む、請求項１に記載のコンピュータ実施方法。
【請求項７】
前記第３の警告が、
ユーザに前記クライアントデバイスを除染し手指を消毒するように要請する、
請求項６に記載のコンピュータ実施方法。
【請求項８】
前記第３の警告が、
ユーザに除染が完了するまで前記クライアントデバイスの使用を中止するように要請する、
請求項６に記載のコンピュータ実施方法。
【請求項９】
ユーザが感染を引き起こしやすいエリアにいつ入ったかを検出すること、
及び、ユーザが感染を引き起こしやすいエリアに入り前記クライアントデバイスを取り出したことを検出すると、前記警報デバイスを用いてユーザに第４の警告を提供すること、
をさらに含む、請求項１に記載のコンピュータ実施方法。
【請求項１０】
前記第４の警告が、
ユーザに除染が完了し手指が消毒されるまで前記クライアントデバイスの使用を中止するように要請する、
請求項９に記載のコンピュータ実施方法。
【請求項１１】
ユーザが感染を引き起こしやすいエリアにいつ入ったかを検出すること、
及び、ユーザが感染を引き起こしやすいエリアに入り前記クライアントデバイスを使用したことを検出すると、前記警報デバイスを用いてユーザに第５の警告を提供すること、
をさらに含む、請求項１に記載のコンピュータ実施方法。
【請求項１２】
前記第５の警告が、
ユーザに前記感染を引き起こしやすいエリアが前記クライアントデバイスによって汚染されている可能性を通知する、
請求項１１に記載のコンピュータ実施方法。
【請求項１３】
ユーザが感染を引き起こしやすいエリアにいつ入ったかを検出すること、
及び、ユーザが感染を引き起こしやすいエリアに入り前記クライアントデバイスを使用したことを検出すると、前記警報デバイスを用いてユーザに第６の警告を提供すること、
をさらに含む、請求項１に記載のコンピュータ実施方法。
【請求項１４】
前記第６の警告が、
ユーザにユーザの手指が前記クライアントデバイスによって汚染されている可能性を通知する、
請求項１３に記載のコンピュータ実施方法。
【請求項１５】
前記クライアントデバイスとのユーザインタラクションを検出することが、
入力キャラクタライザ及びアクションアキュムレータを用いて実行される、
請求項１に記載のコンピュータ実施方法。
【請求項１６】
前記警告が、
ユーザ、前記クライアントデバイス及び環境の間の病原体の移動の可能性に基づいてユーザに提供される、
請求項１に記載のコンピュータ実施方法。
【請求項１７】
ユーザ、前記クライアントデバイス及び環境の間の病原体の移動の可能性が、
病原体移動エスティメータによって決定される、
請求項１６に記載のコンピュータ実施方法。
【請求項１８】
ユーザ、前記クライアントデバイス及び環境の間の病原体の移動の可能性が、
接触指標に基づいて決定される、
請求項１６に記載のコンピュータ実施方法。
【請求項１９】
ユーザ、前記クライアントデバイス及び環境の間の病原体の移動の可能性が
所定のリスクしきい値を超えると、ユーザへの警告が提供される、
請求項１６に記載のコンピュータ実施方法。
【請求項２０】
中央処理装置、警報デバイス及びメモリを含むクライアントデバイスと連携して実行されるプログラムであって、
コンピュータに、
ａ．前記クライアントデバイスの場所を決定すること、
ｂ．前記クライアントデバイスの前記決定した場所を高濃度病原体エリアに分類すること、
ｃ．前記クライアントデバイスとのユーザインタラクションを検出すること、及び
ｄ．前記クライアントデバイスとの前記ユーザインタラクションを検出すると前記警報デバイスを用いてユーザに警告を提供すること、
を含む方法を実行させるためのプログラム。
【請求項２１】
クライアントデバイスを含むシステムであって、前記クライアントデバイスが中央処理装置、警報デバイス及びメモリを含み、
前記メモリが、
ａ．前記クライアントデバイスの場所を決定すること、
ｂ．決定した前記クライアントデバイスの前記場所を高濃度病原体エリアに分類すること、
ｃ．前記クライアントデバイスとのユーザインタラクションを検出すること、及び
ｄ．前記クライアントデバイスとの前記ユーザインタラクションを検出すると、前記警報デバイスを用いてユーザに警告を提供すること、
を含む方法をシステムのコンピュータに実行させるためのプログラムを記憶した、
システム。
【発明の詳細な説明】
【技術分野】
【０００１】
開示された実施形態は一般に医療システム及び方法に関し、より詳細には、臨床環境内のモバイルインタラクションに起因する病原体の移動を見積もるシステム及び方法、並びに、二次汚染のリスクを低減する警告システム及び方法に関する。
【背景技術】
【０００２】
臨床環境内での手指衛生は、適切な手指消毒ルーチンだけでなく、様々な物体、道具、表面、及びデバイスの扱い方の安全な習慣を含む。医療従事者（ＨＣＷ）は手指を使って自分の（パーソナルな）携帯電話を含む、病原菌及びウイルスのすみかとなり得る多数の物体を取り扱う。調査によると、ＨＣＷの平均７５％が患者に接している間に自分のパーソナルモバイルデバイスを使用しているとの報告がある。さらに、ＨＣＷのモバイルデバイスの９〜４０％に検出可能なウイルスＲＮＡ又は病原菌が付着しているという研究結果がある。また、同じ細菌株が看護師の手指とその携帯電話の両方に付着しているという別の研究結果もある。
【０００３】
最も頻繁にモバイルデバイスを用いるユーザ同様、医療従事者は、通知への応答、時刻の確認又は着信音を消すなどのマイクロインタラクションを実行するために、一日中どれだけ頻繁に電話に触れるか必ずしも分かっていない。したがって、ＨＣＷは、自分のパーソナルフォンが病原体の発生源又はキャリアとなり得ることを知っていても、自分の電話機にどれほど接触しているかを意識していないことがある。
【０００４】
モバイルデバイスの使用が人々の生活（及び臨床作業）の不可欠な一部になっている以上、ＨＣＷに対してモバイルデバイスの使用を禁止することは非現実的である。したがって、電話機からＨＣＷの手指に病原体を移動させるリスクをモデル化し、モバイルデバイスの使用挙動の結果としてデバイスと作業者の手指又は作業面との間で病原体の危険な移動が起きる可能性がある場合に、作業者に知的な方法で通知又は警告するソリューションが必要である。
【先行技術文献】
【特許文献】
【０００５】
【特許文献１】米国特許第９７７８７８３号明細書
【特許文献２】米国特許第９０１３４５２号明細書
【特許文献３】米国特許出願公開第２０１６／０２９９６１５号明細書
【非特許文献】
【０００６】
【非特許文献１】BRADY, R. R. W., et al., Review of Mobile Communication Devices as Potential Reservoirs of Nosocomial Pathogens, Journal Hospital Infection, 71, 2009, pp.295-300.
【非特許文献２】GOEL, M., et al., GripSense: Using Built-In Sensors to Detect Hand Posture and Pressure on Commodity Mobile Phones, UIST'12, October 7-10, 2012, Cambridge, MA, pp.545-554.
【非特許文献３】HARRISON, C., et al., TapSense: Enhancing Finger Interaction on Touch Surfaces, UIST'11, October 16-19, 2011, Santa Barbara, CA, 8pgs.
【非特許文献４】KANAYAMA, A. K., et al., Staphylococcus Aureus Surface Contamination of Mobile Phones and Presence of Genetically Identical Strains on the Hands of Nursing Personnel, American Journal of Infection Control, 2017, 45, pp.929-931.
【非特許文献５】KIM, K-E., et al., Hand Grip Pattern Recognition for Mobile User Interfaces, In Proceedings of National Conference on Artificial Intelligence, 21(2), Boston, MA, July 16-20, 2006, pp. 1789-1794.
【非特許文献６】KRATZ, S., et al., PointPose: Finger Pose Estimation for Touch Input on Mobile Devices Using a Depth Sensor, ITS 13, October 6-9-2013, St. Andrews, United Kingdom, 8pgs.
【非特許文献７】PAL, S., et al., Mobile Phones: Reservoirs for the Transmission of Nosocomial Pathogens, Adv Biomed Res, Jul 27, 2015, 4, 7pgs.
【非特許文献８】PILLET, S., et al., Contamination of Healthcare Workers' Mobile Phones by Epidemic Viruses, Clin Microbiol Infect, 22, 2016, pp.456.e1-456.e6
【発明の概要】
【発明が解決しようとする課題】
【０００７】
本明細書に記載の実施形態は、１又は複数の上記の問題及び従来の医療システムに関連付けられたその他の問題を実質的に取り除くシステム及び方法に関する。
【０００８】
本開示の技術は、臨床環境内のモバイルインタラクションに起因する病原体の移動による、二次汚染のリスクを低減することを目的とする。
【課題を解決するための手段】
【０００９】
本明細書に記載の実施形態の一つの態様によれば、中央処理装置、メモリ及び警報デバイスを含むクライアントデバイスを組み込んだシステム内で実行されるコンピュータ実施方法であって、前記クライアントデバイスの場所を決定すること、決定した前記クライアントデバイスの前記場所を高濃度病原体エリア（high pathogen area）に分類すること、前記クライアントデバイスとのユーザインタラクションを検出すること、及び前記クライアントデバイスとの前記ユーザインタラクションを検出すると、前記警報デバイスを用いて前記ユーザに警告を提供すること、を含む、コンピュータ実施方法が提供される。
【００１０】
１又は複数の実施形態では、検出した前記クライアントデバイスとの前記ユーザインタラクションは、ユーザが前記クライアントデバイスを取り出すことである。
【００１１】
１又は複数の実施形態では、前記警告が、ユーザに対して高濃度病原体エリア内での前記クライアントデバイスの操作を中止するように要請する。
【００１２】
１又は複数の実施形態では、前記方法は、前記クライアントデバイスを使用しているユーザを検出すること、及び、ユーザが前記クライアントデバイスを使用したことを検出すると、前記警報デバイスを用いてユーザに第２の警告を提供すること、をさらに含む。
【００１３】
１又は複数の実施形態では、前記第２の警告が、ユーザに前記クライアントデバイスを除染し手指を消毒するように要請する。
【００１４】
１又は複数の実施形態では、前記方法は、ユーザが前記高濃度病原体エリアをいつ離れたかを検出すること、及び、ユーザが前記高濃度病原体エリアを離れたことを検出すると、前記警報デバイスを用いてユーザに第３の警告を提供すること、をさらに含む。
【００１５】
１又は複数の実施形態では、前記第３の警告が、ユーザに前記クライアントデバイスを除染し手指を消毒するように要請する。
【００１６】
１又は複数の実施形態では、前記第３の警告が、ユーザに除染が完了するまで前記クライアントデバイスの使用を中止するように要請する。
【００１７】
１又は複数の実施形態では、前記方法は、ユーザが感染を引き起こしやすいエリアにいつ入ったかを検出すること、及び、ユーザが感染を引き起こしやすいエリア（infection sensitive area）に入り前記クライアントデバイスを取り出したことを検出すると、前記警報デバイスを用いてユーザに第４の警告を提供すること、をさらに含む。
【００１８】
１又は複数の実施形態では、前記第４の警告が、ユーザに除染が完了し手指が消毒されるまで前記クライアントデバイスの使用を中止するように要請する。
【００１９】
１又は複数の実施形態では、前記方法は、ユーザが感染を引き起こしやすいエリアにいつ入ったかを検出すること、及び、ユーザが感染を引き起こしやすいエリアに入り前記クライアントデバイスを使用したことを検出すると、前記警報デバイスを用いてユーザに第５の警告を提供すること、をさらに含む。
【００２０】
１又は複数の実施形態では、前記第５の警告が、ユーザに前記感染を引き起こしやすいエリアが前記クライアントデバイスによって汚染されている可能性を通知する。
【００２１】
１又は複数の実施形態では、前記方法は、ユーザが感染を引き起こしやすいエリアにいつ入ったかを検出すること、及び、ユーザが感染を引き起こしやすいエリアに入り前記クライアントデバイスを使用したこと（actively used）を検出すると、前記警報デバイスを用いてユーザに第６の警告を提供すること、をさらに含む。
【００２２】
１又は複数の実施形態では、前記第６の警告が、ユーザにユーザの手指が前記クライアントデバイスによって汚染されている可能性を通知する。
【００２３】
１又は複数の実施形態では、前記クライアントデバイスとのユーザインタラクションを検出することが、入力キャラクタライザ及びアクションアキュムレータを用いて実行される。
【００２４】
１又は複数の実施形態では、前記警告が、ユーザ、前記クライアントデバイス及び環境の間の病原体の移動の可能性に基づいてユーザに提供される。
【００２５】
１又は複数の実施形態では、ユーザ、前記クライアントデバイス及び環境の間の病原体の移動の可能性が、病原体移動エスティメータによって決定される。
【００２６】
１又は複数の実施形態では、ユーザ、前記クライアントデバイス及び環境の間の病原体の移動の可能性が、接触指標（contact metric）に基づいて決定される。
【００２７】
１又は複数の実施形態では、ユーザ、前記クライアントデバイス及び環境の間の病原体の移動の可能性が所定のリスクしきい値を超えると、ユーザへの警告が提供される。
【００２８】
本明細書に記載の実施形態の別の態様によれば、中央処理装置、警報デバイス及びメモリを含むクライアントデバイスと連携して実行されるプログラムであって、コンピュータに、前記クライアントデバイスの場所を決定すること、前記クライアントデバイスの前記決定した場所を高濃度病原体エリアに分類すること、前記クライアントデバイスとのユーザインタラクションを検出すること、及び前記クライアントデバイスとの前記ユーザインタラクションを検出すると前記警報デバイスを用いてユーザに警告を提供すること、を含む方法を実行させるためのプログラムが提供される。
【００２９】
本明細書に記載の実施形態の別の態様によれば、クライアントデバイスを含むシステムであって、前記クライアントデバイスが中央処理装置、警報デバイス及びメモリを含み、前記メモリが、前記クライアントデバイスの場所を決定すること、決定した前記クライアントデバイスの前記場所を高濃度病原体エリアに分類すること、前記クライアントデバイスとのユーザインタラクションを検出すること、及び前記クライアントデバイスとの前記ユーザインタラクションを検出すると、前記警報デバイスを用いてユーザに警告を提供すること、を含む方法をシステムのコンピュータに実行させるためのプログラムを記憶した、システムが提供される。
【００３０】
本発明に関連する追加の諸態様の一部は以下の説明で述べるが、一部はこの説明から明らかであり、又は本発明を実施することで習得できる。本発明の諸態様は以下の詳細な説明及び添付の請求の範囲で特に指摘した要素及び様々な要素と態様との組み合わせによって実現し、達成することができる。
【００３１】
上記及び以下の説明はもっぱら例示的で解説的なものであって、請求項に係る発明又はその出願をいかなる方法によっても限定するものではないことを理解されたい。
【００３２】
本明細書に組み込まれその一部を構成する添付の図面は、本発明の実施形態を例示し、この説明と共に、本発明の技法の原理を解説し例示する働きをする。以下、各図面を具体的に説明する。
【図面の簡単な説明】
【００３３】
【図１】図１は、モバイルデバイスのユーザが自分のデバイスとインタラクトし、システムが各入力アクションの物理特性の各々を明らかにし、これらのアクションを経時的に蓄積し、デバイス及びユーザの手指の汚染の可能性の接触指標を計算し、リスクが許容しきい値を超えた場合にユーザに警告する方法を示す例示的なシステム概略図１００である。
【図２】図２は、高濃度病原体エリア（例えば、検疫エリア、感染患者のベッドサイド、トイレ、又は公共の待合室）内、及び、感染を引き起こしやすいエリア２０９（例えば、創傷クリニック、免疫不全の患者、高齢者、又は幼児の近く）内での使用時の警告システムの例示的な一実施形態を示した図である。
【図３】図３は、その全部又は一部が本明細書に記載の技法を実施するために使用されるコンピュータシステム３００の一つの例示的な実施形態を示した図である。
【発明を実施するための形態】
【００３４】
以下の詳細な説明では、同一の機能要素が同様の番号で示される添付の図面を参照する。前記添付の図面は、本発明の原理に適合する特定の実施形態及び実施態様を限定的ではなく例示的に示す。これらの実施態様は当業者が本発明を実施できるように充分に詳細に記述されている。その他の諸実施態様も活用でき、本発明の範囲及び趣旨から逸脱しない限りにおいて様々な要素の構造の変更及び／又は置き換えを行ってもよい。したがって、以下の詳細な説明は限定的な意味で解釈されるべきではない。さらに、本発明の上述の様々な実施形態は汎用コンピュータ上で実行されるソフトウェアの形態で、専用ハードウェアの形態で、又はソフトウェアとハードウェアとの組み合わせで実施してもよい。
【００３５】
院内感染の拡大を防止するため、本明細書に記載の実施形態は、（医師、看護師などによる）臨床環境でのモバイルデバイスの使用を監視することで、前記モバイルデバイス、ユーザの手指、及び前記デバイスに接触する面の病原体汚染の可能性を明らかにする。本発明者らの方法は、前記デバイスの扱い方や使用中の保持の仕方の物理的特性と、使用前、使用中、及び使用後の場所並びに環境とを考慮して、汚染の可能性と病原体の移動とを推定する。システムは、前記評価を情報（例えば、ユーザの今後のスケジュール）と共に用いて、ユーザに潜在的な汚染の危険を警告し、いつモバイルデバイスの使用を回避し、いつ前記デバイスとユーザの手指とを消毒すべきかを提案することができる。
【００３６】
図１は、モバイルデバイスのユーザが自分のデバイスとインタラクトし、システムが各入力アクションの物理特性の各々を明らかにし、これらのアクションを経時的に蓄積し、デバイス及びユーザの手指の汚染の可能性の接触指標を計算し、リスクが許容しきい値を超えた場合にユーザに警告する方法を示す例示的なシステム概略図１００である。
【００３７】
図１に示すように、ユーザは、入力キャラクタライザ１０２を特徴とするモバイルデバイス１０１上に入力を提供する。入力キャラクタライザ１０２は入力アクションをアクションアキュムレータ１０３へ送信し、アクションアキュムレータ１０３は一組のユーザ入力イベント１０５を生成する。前記一組のユーザ入力イベントはアクションアキュムレータから病原体移動エスティメータ１０６へ転送され、病原体移動エスティメータ１０６はユーザのモバイルデバイスから取得した位置追跡及び履歴情報１０４を用いて病原体の移動の可能性を推定する。特に、病原体移動エスティメータ１０６は、手指の汚染の程度とデバイスの汚染の程度とを推定するために用いる接触指標１０７を送信する。警告モジュール１０８のブロック１０９で、汚染の決定したリスクが所定のしきい値に照らしてチェックされる。前記しきい値を超えた場合、システムはブロック１１０でクリティカルなリスクしきい値を超えたか否かを決定する。ｙｅｓの場合、ユーザのモバイルデバイス１０１はロックされる。工程１１２でユーザへの通知が送信される。
【００３８】
（Ａ．ユーザインタラクション及び状況に基づく病原体移動の評価）
まず、病原体の移動方法の背景を簡潔に述べる。物体と手指との間で移動する病原体の量はいくつかの物理的要因によって変わる。以下の要因が増加するにつれて移動の効率が増加する。
【００３９】
接触の継続時間
【００４０】
接触の頻度
【００４１】
手指と物体表面との間にかかる圧力
【００４２】
摩擦量
【００４３】
前記物体の通気性のなさ
【００４４】
接触ポイントの湿度レベル
【００４５】
１又は複数の実施形態では、ユーザのモバイルデバイスとのインタラクションに基づいて、これらの要因の多くを自動的に検知し定量化してもよい。モバイルデバイスはタッチ／圧力インタラクションに依拠するハードウェアを既に有しているため、デバイスはユーザのタッチインタラクションを分析してデバイスとユーザの手指との間の病原体移動の可能性をモデル化／予測するソフトウェアを装備してもよい。
【００４６】
（ハンドインタラクションの特徴）
例えば、システムは、（累積時間×頻度）という「接触指標」のために、１又は複数のタッチジェスチャーにわたる接触の継続時間を追跡してもよい。さらに、各タッチジェスチャーの圧力（圧力センシング、例えば、アップル３Ｄタッチを用いる）も分析して以前の累積接触指標に追加してもよい。スワイプ及びドラッグなどのある種のジェスチャーは、電話機の表面全体に指を滑らせて摩擦を掛けることを含む。これらの入力ジェスチャーも病原体の移動効率を高め、前記接触指標に寄与する場合がある。システムはまた、電話機の静的な品質（電話機の画面及びケースの通気性などの）と、周囲湿度などの環境の動的な品質とに基づいて、前記接触指標を調整してもよい。
【００４７】
１又は複数の実施形態では、デバイスが消毒済みであることを示す追加のジェスチャー、例えば、正確な量の圧力、範囲、及び継続時間で、標準の動きによって画面全体を清掃用の布で拭くことを、検出してもよい。同様に、システムは光学センサを用いて、いつデバイスが消毒するのに適切な強度、周波数、及び継続時間で紫外線Ｃ波に晒されたかを検出してもよい。検出された消毒イベントの後で、デバイスのより低い汚染度に合わせて前記接触指標をより低いレベルにリセットしてもよい。前回の消毒イベントからの経過時間も、前記接触指標の一要因として用いてもよい。例えば、前回の消毒イベントからの経過時間が増加するにつれて汚染のリスクを増加させる。システムはその後の健康及び安全のコンプライアンス監査に有用な各消毒イベントを記録してもよい。
【００４８】
１又は複数の実施形態では、ユーザ入力の手指の特徴も前記接触指標において考慮してもよい。システムは片方の手又は両方の手のどちらをインタラクションに使ったか、またどちらの手を使って画面に触ったかを特定してもよい。例えば、両手の親指で操作する場合、ユーザの指は概ね電話機の背面に接触しているため、背面からユーザの手のひらではなく背面から指先への病原体の移動のリスクが上昇する。また、システムは電話機がいつ右手又は左手だけで使用されるか（親指が届く範囲は限られ、その方向が決まっているため）を特定して、接触している方の手だけへのリスクを差別的に上昇させてもよい。システムはまた、ユーザがいつ着信に応答して電話機を耳に当て、顔や髪に触れるかを追跡してもよい。この行為によって接触エリア及び病原体の移動の領域が増大する。
【００４９】
（状況の特徴）
１又は複数の実施形態では、システムはデバイス使用の状況及び／又は環境を考慮してもよい。例えば、高レベルの危険な病原体が存在する場所（検疫エリア、感染患者がいるベッドサイド、トイレ、又は公共の待合室など）でデバイスが使用又は接触された場合は、位置検知を用いて、システムはその後電話機に接触するごとにその危険性を上昇させて、その接触指標を適切に調整してもよい。
【００５０】
１又は複数の実施形態では、同様に、上記システムは状況及び／又は環境も用いて、先を見越した正しい行動の尤度を見積もってもよい。例えば、システムは、高濃度汚染空間内にいるときに、デバイスが医療従事者のポケットに残っていることを検出してもよい。さらに、システムは、医療従事者が手指消毒ステーション（シンク）のすぐ近くでかなり長い時間を過ごしている間に、デバイスが医療従事者のポケットに残っていることを検出してもよい。
【００５１】
１又は複数の実施形態では、システムは医療従事者の詳細なスケジュールを用いて病原体との接触の尤度を予測する際の一助としてもよい。例えば、作業者のスケジュールが感染疾患にかかっている患者のところから戻った、又は現在その患者を訪ねていることを示す場合、システムはこの情報を用いて病原体がインタラクション中にモバイルデバイスへ移動する尤度を見積もる。この情報は、病原体移動のリスクとシステムから発信すべき警告のタイプとを決定する際にも有用である（以下を参照）。
【００５２】
デバイスとユーザの手指の汚染リスクのスコアを計算するための以下の使用シナリオを検討する。ユーザがクリニックに到着し、最初に自分のデバイスと手指とを消毒してから自分のシフトを開始する。次いで、ユーザは感染状態の患者を収容した高濃度病原体室であるロケーションＡに入るが、この最初の場所では自分の電話機を使用しない。次いで、ユーザは休憩を取ってから事務室などの病原体が不活性な場所（neutral location）であるロケーションＢへ移動し、ここで自分の電話機に手を触れる。次いで、ユーザは免疫不全の患者を収容する極めて感染を引き起こしやすいエリアであるロケーションＣへ移動し、そこで患者とインタラクトし、自分の電話機に触れて患者ごとにマシンを調整する方法に関する指示を確認する。
【００５３】
ａ）初期状態
１又は複数の実施形態では、ユーザが最初にクリニックに到着したとき、システムはユーザの手指又はデバイスのどちらについてもその清潔さの情報を有していない。ユーザは自分の手指とデバイスを消毒するように促される。消毒が実施され、システムによって自動的に検知されるか又はユーザによって手作業で指示されると、システムは前記デバイスの汚染スコアであるＣ_deviceと、手指の汚染スコアであるＣ_handsとを０．０５に設定する。
【００５４】
ｂ）高濃度病原体環境における環境から手指への移動
１又は複数の実施形態では、ユーザが感染患者を収容した部屋であるロケーションＡに入る場合に、ユーザは前記デバイスを使用しないため、システムは前記デバイスの汚染スコアＣ_deviceを０．０５に維持する（システムはユーザの腕時計に自分のデバイスに触れないよう確認の通知をすることもできる）。但し、システムはユーザが感染患者とインタラクトしていることを前提にしている。その環境から手指への（移動の）見積もり関数Ｔ_ＥＨに基づいて、システムはこの部屋での最初の１分経過後に手指の汚染スコアＣ_handsを０．３０に上げ、その後１０分ごとに０．１０ずつ上げる（最大１．０まで）。例えば、このエリア内で患者と共に４１分間過ごした後では、システムはＣ_handsを０．７０と見積もる。
【００５５】
ｃ）手指からデバイスへの汚染の移動（病原体が不活性な環境内での）
１又は複数の実施形態では、ユーザは自分の事務机であるロケーションＢへ移動すると、自分の電話機を取り出してメッセージを確認する。汚染見積もりを連続的に調整するために、システムは、手指及びデバイスの初期の汚染見積もり（Ｃ_hands＝０．７、Ｃ_device＝０．０５）と、前記デバイスとのインタラクションの継続時間及びタイプと、手指からデバイスへの移動の見積もり関数Ｔ_ＨＤと、デバイスから手指への移動の見積もり関数Ｔ_ＤＨとを考慮する。なお、この病原体が不活性な事務室という環境内では、環境から手指への見積もり関数Ｔ_ＥＨはアイデンティティ関数に設定され、Ｃ_handsを増加させないので、Ｃ_handsは０．７のままである。
【００５６】
手指からデバイスへの移動の見積もり関数Ｔ_ＨＤは、以下の２つの伝播速度によって定義できる。
【００５７】
保持状態：デバイスを３０秒間保持するたびに、Ｃ_deviceは、（Ｃ_hands／１０）だけ増加する。
【００５８】
インタラクション中：さらに、デバイス画面と１秒接触する（タップ、スワイプ、又はタイプジェスチャーによって）たびに、Ｃ_deviceは、（Ｃ_hands／１０）だけ増加する。
【００５９】
例えば、ユーザはデバイスを３０秒間保持し（Ｃ_deviceを０．０７だけ増加させ）、画面を８回タップし、１回ごとに画面に０．２５秒接触し、総計で２秒間のインタラクションを行って（Ｃ_deviceをさらに０．１４だけ増加させ）、デバイスをロックしてポケットに入れる。この実施例の終了後、Ｃ_deviceは、０．０５（＋０.０７＋０．１４）＝０．２６に更新される。
【００６０】
ユーザがこのインタラクションを２回繰り返したケースを検討する。現在のＣ_deviceは０．４７、Ｃ_handsは０．７のままであろう。
【００６１】
ｄ）デバイスから手指への汚染の移動（極めて感染を引き起こしやすい環境内での）
１又は複数の実施形態では、デバイスから手指への移動の見積もり関数Ｔ_ＤＨは、以下の２つの伝播速度によって定義してもよい。
【００６２】
保持状態：デバイスを３０秒間保持するたびに、Ｃ_deviceは、（Ｃ_hands／１０）だけ増加する。
【００６３】
インタラクション中：さらに、デバイス画面と１秒接触する（タップ、スワイプ、又はタイプジェスチャーによって）たびに、Ｃ_handsは、（Ｃ_device／１０）だけ増加する。
【００６４】
次いで、ユーザは免疫不全の患者を収容する極めて感染を引き起こしやすいエリアであるロケーションＣに入る。ユーザは手指を洗浄し、その結果、Ｃ_handsは０．０５になる。ユーザはこのエリア内で自分のデバイスを使用することが患者を危険にさらす可能性があることを知っているため、前記デバイスをポケットから取り出して入口の傍の籠に入れる。前記デバイスはそれがポケットから取り出され、面上に置かれたことを検出する。手指とデバイスとの接触は１秒間続いた。
【００６５】
１又は複数の実施形態では、Ｔ_ＤＨに基づいて、電話機を短い間保持した結果として病原体の手指への控えめな移動が発生し（０．４７／１０＝００４７）、Ｃ_handsは０．１０に増加する。（既存の伝播モデルに則っているため、手指とデバイスとの一回の短い接触では、デバイスから手指への汚染のリスクはこれほどまでに大幅には増加しないことに留意されたい）。手指の汚染スコアＣ_handsは、この特定の空間のための環境から手指への見積もり関数Ｔ_ＥＨを用いて連続的に調整され、これは低い値と思われる。しばらくして、ユーザは、マシンを患者看護のために調整する方法の指示を確認するために、自分のデバイスに触れることが必要になる。ユーザは自分のデバイスを取り出してロックを解除する。ユーザは電話機を３０秒間保持する間に８回タップし（１回につき０．２５秒）、４回スワイプする（１回につき０．５秒）（接触時間の総計は４秒）。控えめに汚染されたデバイスとのこの長時間の接触と、手指からデバイスへの移動の見積もり関数Ｔ_ＨＤとに基づいて、前記更新されたＣ_handsはしきい値を超え、ユーザはその手指とデバイスとが汚染されており、患者への高いリスクがあるとの通知を受け取る。ユーザは、作業を進める前に、感染を引き起こしやすい面との接触を回避するか、手袋を装着するか、又は手指を洗浄することができる。
【００６６】
（移動の見積もり関数の機械学習）
１又は複数の実施形態では、以下の４つの重要な病原体移動の見積もり関数の使用が実施される。環境から手指（Ｔ_ＥＨ）、環境からデバイス（Ｔ_ＥＤ）、手指からデバイス（Ｔ_ＨＤ）、及びデバイスから手指（Ｔ_ＤＨ）。
【００６７】
一つの実施態様では、これらの関数は、教師あり学習法によって学習してもよい。例えば、最初に、病原体のレベルサンプルが、対象の環境とユーザの手指及びデバイスとから採取される。次に、ユーザはある範囲内の該当するアクション（例えば、患者とのインタラクション）を実行する。次に、ユーザの手指及びデバイスからの病原体の読み取り値が再度測定される。アクションの前後での読み取り値の差は、機械学習モデルが見積もりを学ぶ対象である。このデータは機械学習モデルを訓練するために使用される。
【００６８】
同様に、手指からデバイス、またデバイスからユーザの手指への病原体の移動を見積もるように各モデルを訓練してもよい。モデルの訓練中、デバイス及び手指上の病原体の様々な初期状態でデータが収集される。次いで、デバイスとのユーザインタラクションのデータが、様々なジェスチャー、グリップを用いて様々な継続時間にわたって記録される。次に、新しい病原体サンプルが採取される。前記手指及びデバイスの初期の病原体読み取り値が与えられると、前記データを使用して、インタラクションの継続時間及びタイプに基づいて移動速度を見積もってもよい。
【００６９】
（Ｂ．作業面の汚染検出及びタグ付け）
モバイルデバイスは、それを保持する手指に対してだけでなく、ユーザがモバイルデバイスを置く面に対してもリスクをもたらす。汚染されたアイテムが置かれる可能性がある作業テーブル、機器トレイ、ベッド、又はその他の面等の作業面はすべて、医療従事者が自分のデバイスを置くかもしれない感染を引き起こしやすいエリアである。こうした状況下では、前記面とモバイルデバイスとの間での病原体の移動のリスクがある。前記面とデバイスとの間の同様の接触モデル（接触の継続時間、接触の頻度、面の通気性、及び前記デバイス又は面の以前の病原体の見積もりを含む）を開発して、伝播のリスクを見積もるのに用いてもよい。
【００７０】
１又は複数の実施形態では、モバイルデバイスをプログラミングして、それがユーザによっていつ置かれたか、いつ取り上げられたかを、（加速度計又はカメラデータに基づいて）検出してもよい。デバイスが再度取り上げられたとき、カメラを用いてそれが置かれた面の写真又は動画を撮影してもよい。前記写真又は動画を用いて具体的な面を特定し、前記デバイスによって汚染された可能性があるというタグをその面に付けてもよく、又は逆に、前記面によって汚染された可能性があるというタグを電話機に付けてもよい。また前記デバイスは、前記デバイスが先ほど置かれていた面を消毒せよとのジャストインタイムのプロンプトをユーザに提供してもよく、又は前記面若しくは電話機は清潔であるか若しくは安全であると主張してもよい。
【００７１】
１又は複数の実施形態では、モバイルデバイスは、ポータブルデバイスとして、しばしばユーザの手、ポケット又はバッグの中での場所から次の場所へと携帯する必要がある。前記デバイスが高濃度病原体エリア内で又は患者の看護現場の近くで使用されていたと決定された場合、ポケット又はバッグとのその後の接触はこれらのキャリアの汚染を引き起こしかねない。モバイルデバイスは、ポケットに入っているか又はポケットに入れて運ばれているかを検出してもよく、前記ポケットが汚染されていることをユーザに通知してもよい。接触指標（摩擦及び動きを含む）を用いて前記デバイスとポケットとの間にどの程度の移動が起こったかを予測してもよい。
【００７２】
（Ｃ．高リスク又は感染を引き起こしやすいエリア内でのモバイルデバイスの使用についてのユーザへの警告）
上記のように、臨床環境の多数の異なる現場でモバイルデバイスを使用することができる。検疫エリア、感染患者のベッドサイド、トイレ、又は公共の待合室などの高濃度病原体エリア内でデバイスを使用すると、モバイルデバイスが汚染されるおそれがある。
【００７３】
図２は、高濃度病原体エリア２０１（例えば、検疫エリア、感染患者のベッドサイド、トイレ、又は公共の待合室）内及び感染を引き起こしやすいエリア２０９（例えば、創傷クリニック、免疫不全の患者、高齢者、又は幼児の近く）内での使用時の警告システム２００の例示的な一実施形態を示した図である。
【００７４】
１又は複数の実施形態では、（ラジオビーコン又はその他の検知装置と連携した）モバイルデバイス２０２は、これらの環境２０３内でユーザが電話機をいつ取り出したか又は扱ったかを検出し、直ちに汚染リスクをユーザに警告し、不要な使用を止めさせてもよい。警告２０４及び２０５を参照。
【００７５】
１又は複数の実施形態では、前記デバイス２０２は前記デバイスとの連続的なインタラクションを検出し、一度、ユーザが、前記デバイスが汚染される高濃度病原体エリアを離れたら、前記デバイスから手指、さらに環境への病原体の移動のリスクが高い感染を引き起こしやすいエリア内では、前記デバイスを消毒せずに使用してはならないとユーザに警告してもよい。警告２０７を参照。
【００７６】
１又は複数の実施形態では、前記デバイス（２１０、２１１及び２１２）は、院内感染を回避するために病原体を最小限にする必要がある、創傷クリニック、免疫不全の患者、高齢者、又は幼児の近くなどの極めて感染を引き起こしやすいエリア内で、いつ前記デバイスが使用されるかを検出してもよい。システムは、デバイスの意図的な使用又は最初の使用を検出した場合、デバイスが病原体を現在の環境内に移動させる可能性があるとユーザに警告してもよい。図２の警告２１３、２１４及び２１５を参照。
【００７７】
１又は複数の実施形態では、ロケーション又は近接技法を活用して、システムは適切な行動のための軽量の通知機能を提供してもよい。例えば、医療従事者が自分のデバイスをナースステーション又は休憩室で使用し、その部屋を離れ、前記デバイスを自分のポケットに入れ、次いで病室に入るという状況を検討する。前記デバイスは、先ほど使用されていたことを知り、現在感染を引き起こしやすい場所にあることを検出すると、独特のバイブレーション又は可聴音を発して、自分の手指を消毒する必要があることを前記医療従事者に分かりやすく思い出させてもよい。
【００７８】
１又は複数の実施形態では、前記デバイスは、高リスクエリア内でのユーザインタラクションをパッシブに追跡して、ユーザが自分のデバイスをいかに頻繁に扱っているかについて認識を深めるためのインタラクションのサマリを、１日の終わりの又はシフトの終わりのサマリとして提供してもよい。これらのサマリは、フィットビット（FItbit）又はアップルウォッチ（Apple Watch）などを用いた身体活動モニタリングと同様、ユーザが臨床現場で自分のパーソナルモバイルデバイスを扱う習慣を理解するための洞察力を、ユーザに提供するものであってもよい。数日間又は数週間単位のサマリは、作業者に対し、長期にわたる適切なプロトコルの遵守の長期間の展望を提供してもよい。
【００７９】
（Ｄ．病原体の移動がリスクしきい値を超えた場合の警告システム）
１又は複数の実施形態では、システムの病原体の移動の接触指標を調整することで、合理的なレベルの携帯電話の使用（作業遂行に必要な程度の）を可能にする一方で、潜在的な汚染レベルが安全しきい値を超えた場合には更なる携帯電話の使用又は患者との接触を制限してもよい。システムが十分な接触がなされたことを突き止めると、モバイルデバイスは、ユーザの手指及び電話機が病原体を伝播するリスクを抱え、患者やその他の作業者を潜在的な危険にさらす可能性があることを、直ちにユーザに通知してもよい。この通知によってユーザは潜在的に危険な状況を認識する。
【００８０】
１又は複数の実施形態では、気づきの支援（supporting awareness）を超えて、システムは全ての機能を自動的にロックアウトして、ユーザに手指を洗浄し及び／又は自分のデバイスを消毒するように促してもよい。手指消毒及びデバイス消毒の自動検出機能がない場合、ユーザは消毒プロトコルを遵守したことを（今では清潔な）手指を用いて（今では清潔な）デバイス上で主張してもよい。或いは、前記デバイスは、手指消毒ステーション（ここでユーザは手指とデバイスとを消毒できる）の近くの電話機安全ゾーン、又はクリティカルエリアから離れたロックボックス内に、前記デバイスを物理的に持ち込むようにユーザを促してもよい。手指／デバイスが消毒済みであると主張した後で、前記デバイスはロックを解除し、モバイルデバイスの使用を続行することをユーザに許可する。また、検出された手指消毒イベント（場所、ユーザの主張のいずれかなどを用いた）を用いて、より低いレベルの汚染に対応するように、ユーザの手指の汚染の見積もりを更新／リセットしてもよい。前回の手指消毒イベントからの経過時間を用いて手指汚染の見積もりを増やして、一定の継続時間後にシステムが手指を洗浄するようにユーザに通知する（又は感染しやすい患者及び面との接触を回避する）ことを可能にしてもよい。これらの通知及び主張を中央データベース内に記録して、医療施設の将来の監査のために、安全なモバイルデバイス使用ポリシーの遵守を追跡してもよい。
【００８１】
最後に、上記の技法は、生物学的に危険な物資による伝播及び汚染の防止のみに限定されず、放射性物質及びＶＸなどの毒性が高い化学物質など、その他のあらゆるタイプの危険物質の伝播を制御することにも向けられることに留意されたい。したがって、上記のシステムは、Ｒ＆Ｄラボなどのその他の様々な環境内に配備することができる。
【００８２】
（Ｅ．コンピュータシステムの例示的な実施形態）
図３は、その全部又は一部が本明細書に記載の技法を実施するために使用されるコンピュータシステム３００の一つの例示的な実施形態を示した図である。１又は複数の実施形態では、前記コンピュータシステム３００は、当業者には周知のサーバ、デスクトップ又はモバイルコンピューティングデバイスのフォームファクタ内で実施してもよい。一つの代替実施形態によると、前記コンピュータシステム３００はラップトップ又はノートブックコンピュータに基づいて実施してもよい。
【００８３】
前記コンピュータシステム３００は前記モバイルコンピュータシステム３００の様々なハードウェアコンポーネント全体又はそれらの間で情報通信を行うデータバス３０４又はその他の相互接続若しくは通信機構と、情報を処理しその他の計算及び制御タスクを実行する、前記データバス３０４に結合された中央処理装置（ＣＰＵ又は単にプロセッサ）３０１とを含んでいてもよい。また前記コンピュータシステム３００は、様々な情報及び前記プロセッサ３０１によって実行される命令を記憶する、前記データバス３０４に結合されたランダムアクセスメモリ（ＲＡＭ）又はその他の動的記憶デバイスなどのメモリ３１２を含む。前記メモリ３１２は、磁気ディスク、光学ディスク、固体フラッシュメモリデバイス又はその他の不揮発性固体記憶デバイスなどの永続記憶デバイスをさらに含んでいてもよい。
【００８４】
１又は複数の実施形態では、前記メモリ３１２は前記プロセッサ３０１による命令の実行中に一時的変数又はその他の中間情報を記憶するためにも使用してよい。所望により、前記コンピュータシステム３００は、前記データバス３０４に結合された、前記コンピュータシステム３００の動作に必要なファームウェア、基本入出力システム（ＢＩＯＳ）、及び前記コンピュータシステム３００の様々な環境設定パラメータなどの、前記プロセッサ３０１のための静的情報及び命令を記憶する読み出し専用メモリ（ＲＯＭ又はＥＰＲＯＭ）３０２又はその他の静的記憶デバイスをさらに含んでいてもよい。
【００８５】
１又は複数の実施形態では、前記コンピュータシステム３００は、前記コンピュータシステム３００のユーザに対して様々な情報を表示する、前記データバス３０４に結合されていてもよいディスプレイ（警報）デバイス３０９を組み込んでいてもよい。一つの代替実施形態では、前記ディスプレイ（警報）デバイス３０９はグラフィックコントローラ及び／又はグラフィックプロセッサ（図示せず）に関連付けられていてもよい。前記ディスプレイ（警報）デバイス３０９は、例えば、両方共当業者には周知の薄膜トランジスタ（ＴＦＴ）技術又は有機発光ダイオード（ＯＬＥＤ）技術を用いて製造される液晶表示装置（ＬＣＤ）として実施してもよい。様々な実施形態では、前記ディスプレイ（警報）デバイス３０９は前記コンピュータシステム３００の残りのコンポーネントを備えた同じ筺体内に組み込まれていてもよい。1つの代替実施形態では、前記ディスプレイ（警報）デバイス３０９はそのような筺体の外側に配置されていてもよい。さらに、様々な実施形態では、前記ディスプレイ（警報）デバイス３０９はユーザに上記の病原体の移動を警告する可聴及びタクタイル／バイブレーショナル（tactile/vibrational）モダリティをさらに含んでいてもよい。
【００８６】
１又は複数の実施形態では、前記コンピュータシステム３００は、前記データバス３０４に連結され、１又は複数のＧＰＳ衛星から位置情報を受信し、前記データバス３０４を介してこの情報を前記プロセッサ３０１へ送信するように構成されたＧＰＳ受信装置３０３をさらに組み込んでいてもよい。
【００８７】
１又は複数の実施形態では、前記コンピュータシステム３００は、これに限定されないが、前記プロセッサ３０１に対する ユーザコマンド選択を含む情報を通信する、上記データバス３０４に結合されていてもよい、タクタイルコマンドを受信するタッチスクリーンインタフェース３１０及びキーボード３０６などの１又は複数の入力デバイスを組み込んでいてもよい。一つの代替実施形態では、入力デバイスは、前記コンピュータシステム３００にユーザが選択したコマンドを示すための、ユーザ（図示せず）の目の動きを追跡するシステムを含んでいてもよい。
【００８８】
１又は複数の実施形態では、前記コンピュータシステム３００は、ビーコン１０１のためのスキャンを実行し、前記データバス３０４を介して上記スキャンデータを前記プロセッサ３０１へ供給するように構成されたブルートゥース（登録商標）受信装置などの位置信号受信装置３１１をさらに含んでいてもよい。
【００８９】
１又は複数の実施形態では、前記コンピュータシステム３００は、前記データバス３０４に結合されたネットワークインタフェース３０５などの通信インタフェースをさらに含んでいてもよい。前記ネットワークインタフェース３０５は、少なくともＷＩＦＩインタフェース３０７とセルラネットワーク（ＧＳＭ（登録商標）又はＣＤＭＡ）アダプタ３０８との少なくとも一つを用いて、前記コンピュータシステム３００とインターネット３２４との間の接続を確立するように構成されていてもよい。前記ネットワークインタフェース３０５は前記コンピュータシステム３００とインターネット３２４との間の双方向データ通信を提供するように構成されていてもよい。前記ＷＩＦＩインタフェース３０７は、当業者には周知の８０２．１１ａ、８０２．１１ｂ、８０２．１１ｇ及び／又は８０２．１１ｎプロトコルとブルートゥース（登録商標）プロトコルとに準拠して動作してもよい。一つの例示的な実施態様では、前記ＷＩＦＩインタフェース３０７及び前記セルラネットワーク（ＧＳＭ（登録商標）又はＣＤＭＡ）アダプタ３０８は様々なタイプの情報を搬送する電気又は電磁信号を送受信する。例えば、上記のネットワーク接続コンポーネントを用いて前記コンピュータシステム３００と、中央サーバ１０４及びサードパーティサービス／アプリケーション１０８などの位置推定システム１００のその他のコンポーネントとの間のネットワークデータ接続を確立してもよい
【００９０】
１又は複数の実施形態では、インターネット３２４は、通常、１又は複数のサブネットワークを介して、その他のネットワークリソースへデータ通信を提供する。したがって、前記コンピュータシステム３００は、ウェブサーバ、その他のコンテンツサーバ及びその他のネットワークデータ記憶リソースなどの、インターネット３２４上のいずれかの場所にある様々なネットワークリソースにアクセスしてもよい。１又は複数の実施形態では、前記コンピュータシステム３００は、アプリケーションコードを含むメッセージ、媒体及びその他のデータを、インターネット３２４を含む様々なネットワークを通して、前記ネットワークインタフェース３０５によって送受信するように構成されている。このインターネットの例では、前記コンピュータシステム３００がネットワーククライアントとして動作する場合、前記コンピュータシステム３００上で実行されているアプリケーションプログラムのためのコード又はデータを要求してもよい。同様に、前記コンピュータシステム３００は様々なデータ又はコンピュータコードをその他のネットワークリソースへ送信してもよい。
【００９１】
１又は複数の実施形態では、前記コンピュータシステム３００は前記ネットワークインタフェース３０５を用いてインターネット３２４を介してＨＴＴＰ要求などの要求を前記中央サーバ１０４へ送信し、これに限定されないが、上記の位置情報及びそこから得られるタイプスタンプを含む様々な情報を受信する。
【００９２】
１又は複数の実施形態では、本明細書に記載の機能は、前記プロセッサ３０１が前記メモリ３１２内に含まれる１又は複数の命令の１又は複数のシーケンスを実行したことに応答して前記コンピュータシステム３００によって実施される。そのような命令は別のコンピュータ可読媒体から前記メモリ３１２内に読み込んでもよい。前記メモリ３１２内に含まれる命令の前記シーケンスが実行されると、前記プロセッサ３０１は本明細書に記載の様々なプロセス工程を実行する。代替の実施形態では、ソフトウェア命令に代えて、又はそれと組み合わせて配線回路を用いて本発明の実施形態を実施してもよい。したがって、本発明の実施形態はハードウェア回路とソフトウェアとのいずれの特定の組み合わせにも限定されない。
【００９３】
本明細書で使用する「コンピュータ可読媒体」という用語は、実行のためにプロセッサ３０１に命令を提供することに関与するいずれかの媒体を指す。前記コンピュータ可読媒体は、本明細書に記載の方法及び／又は技法のいずれかを実施するための命令を記憶していてもよいマシン可読媚態の一例に過ぎない。そのような媒体は、これに限定されないが、不揮発性媒体及び揮発性媒体を含む多数の形態をとってもよい。
【００９４】
非一時的コンピュータ可読媒体の一般的な形態は、例えば、フロッピーディスク（登録商標）、フレキシブルディスク、ハードディスク、磁気テープ、又はその他のいずれかの磁気媒体、ＣＤ-ＲＯＭ、その他のいずれかの光学媒体、パンチカード、紙テープ、穴のパターンを有するその他のいずれかの物理的な媒体、ＲＡＭ、ＰＲＯＭ、ＥＰＲＯＭ、ＦＬＡＳＨ-ＥＰＲＯＭ、フラッシュドライブ、メモリカード、その他のいずれかのメモリチップ若しくはカートリッジ、又はコンピュータが読み取ることができるその他のいずれかの媒体を含む。
コンピュータ可読媒体の様々な形態は、実行のためにプロセッサ３０１に１又は複数の命令の１又は複数のシーケンスを伝達することに関与していてもよい。例えば、前記命令を最初はリモートコンピュータから磁気ディスクへ伝達してもよい。或いは、リモートコンピュータは前記命令をその動的メモリ内にロードし、インターネット３２４上で前記命令を送信し得る。特に、当業で周知の様々なネットワークデータ通信プロトコルを用いて前記コンピュータ命令を前述のリモートコンピュータからインターネット３２４を介して前記コンピュータシステム３００の前記メモリ３１２にダウンロードしてもよい。
【００９５】
１又は複数の実施形態では、前記コンピュータシステム３００の前記メモリ３１２は以下のソフトウェアプログラム、アプリケーション又はモジュールのいずれかを記憶していてもよい。
【００９６】
１．基本システムサービスを実施し前記コンピュータシステム３００の様々なハードウェアコンポーネントを管理するモバイルオペレーティングシステムであってもよいオペレーティングシステム（ＯＳ）３１３。前記オペレーティングシステム３１３の例示的な実施形態は当業者には周知であり、あらゆる周知の、又はこれから開発されるモバイルオペレーティングシステムを含んでいてもよい。
【００９７】
２.下記の１又は複数のネットワークインタフェースを用いてネットワーク通信を可能にするネットワーク通信モジュール３１４。
【００９８】
３．ソフトウェアモジュール３１５は、例えば、前記コンピュータモバイルシステム３００に、入力キャラクタライザ３１６、アクションアキュムレータ３１７、病原体移動エスティメータ３１８及び警告生成モジュール３１９などの、上記のある種の所定の機能を実行させる前記コンピュータシステム３００の前記プロセッサ３０１によって実行される一組のソフトウェアアプリケーションを含んでいてもよい。
【００９９】
４．データ記憶装置３１８は、例えば、位置及びその他のデータ並びにしきい値３１９を記憶するために使用してもよい。
【０１００】
最後に、本明細書に記載のプロセス及び技法は本質的にいかなる特定の装置にも関連せず、コンポーネントのいずれかの好適な組み合わせによって実施してもよいことを理解されたい。さらに、本明細書に記載の教示に従って様々なタイプの汎用デバイスを使用してもよい。本明細書に記載の方法工程を実行するための専用装置を構築することも有利であろう。いくつかの具体例に関連して本発明を説明してきたが、それらの例はあらゆる点で限定的ではなく例示的なものとして意図されている。当業者には、ハードウェア、ソフトウェア、及びファームウェアの多くの異なる組み合わせが本発明を実施するのに好適であることが理解される。例えば、上述のソフトウェアは、アセンブラ、Ｃ／Ｃ＋＋、Ｏｂｊｅｃｔｉｖｅ−Ｃ、ｐｅｒｔ、ｓｈｅｌｌ、ＰＨＰ、Ｊａｖａ（登録商標）、及び現在周知の、又はこれから開発されるスクリプト言語などの多種多様なプログラミング又はスクリプト言語で実施することができる。
【０１０１】
さらに、本明細書のその他の諸実施態様は、本明細書に開示された本発明の明細書及び具現化を考慮することで当業者には明らかとなるであろう。上記の実施形態の様々な態様及び／又は構成要素を単独で、又は臨床環境内のモバイルインタラクションから病原体の移動を見積もるシステム及び方法並びに二次汚染のリスクを低減する警告システム及び方法におけるいずれかの組み合わせで使用してもよい。本明細書及びいくつかの例はもっぱら例示的なものであることが意図されており、本発明の真の本出願の真の範囲及び趣旨は以下の特許請求の範囲に記載される。
【図１】
2020140714.tif 000003
【図２】
2020140714.tif 000004
【図３】
2020140714.tif 000005